(57)【要約】    【課題】係止ピンが止めやすく外しやすいと共に、使い方によっては危険な金属ピンの長さを短くすると共に、その位置を固定して動かなくしたベルト用バックルを提供する。    【解決手段】バックル側ベルト端部と接続されたバックル本体（１０）と係止ピン（２１）からなり、前記バックル本体（１０）はベルト挿通用の穴（１７）を有すると共に、前記係止ピン（２１）は回動不能である。バックル本体は、ベルト接続辺（１１）、先端辺（１２）及びこれらを繋ぐ２本の側部辺（１３，１４）からなる四角形の枠体を有し、前記係止ピン（２１）が側部辺同士を繋ぐ中央辺（１５）から起立している。バックル本体（１０；３０）が、中央の直線部分（１８）と、基部側及び先端側の屈曲部分（１９，２０）が形成されており、側面視すればＳ字状に湾曲している。【選択図】図２
2006102026.tif 000002
【特許請求の範囲】
【請求項１】
バックル側ベルト端部に接続されたバックル本体（１０）と、このバックル本体（１０）に設けられた係止ピン（２１）からなり、
前記バックル本体（１０）は、ベルト接続辺（１１）、先端辺（１２）及びこれらを繋ぐ２本の側部辺（１３，１４）からなる四角形の枠体と、それによって形成されるベルト端部取付用の穴（１６）とベルト挿通用の穴（１７）を有し、
前記先端辺（１２）は他の部分に対して上方に位置しており、
前記係止ピン（２１）は、前記バックル本体（１０）から回動不能に起立している
ことを特徴とするベルト用バックル。
【請求項２】
バックル本体が、ベルト接続辺（１１）、先端辺（１２）及びこれらを繋ぐ２本の側部辺（１３，１４）からなる四角形の枠体を有し、前記係止ピン（２１）が側部辺同士を繋ぐ中央辺（１５）から起立している請求項１記載のベルト用バックル。
【請求項３】
前記バックル本体（１０）の前記ベルト接続辺（１１）が他の部分に対して下方に位置している請求項１又は２に記載のベルト用バックル。
【請求項４】
ベルト端部近傍（５）に設けられた係止ピン（３６）と、ベルト端部に接続された第１のベルト通し環（３５）と、前記係止ピン（３６）に隣接して設けられた第２のベルト通し環（３８）からなり、
前記係止ピン（３６）は回動不能に起立している
ことを特徴とするベルト用バックル。
【請求項５】
前記係止ピン（３６）がピン基部（３６ａ）とそれから起立している突起（３６ｂ）からなる請求項４記載のベルト用バックル。
【発明の詳細な説明】
【技術分野】
【０００１】
本発明は、ベルト用バックルに関する。本明細書において「ベルト」は、例えば、衣服用、バッグ用、靴用、ペットの首輪用など、幅広い用途のものを包含する。
【背景技術】
【０００２】
例えば、ペットの首輪や衣服のバックルなどでは、パンチ穴を開けたベルトと、バックルと、ベルト通し環からなるものが周知である。バックルは、ほぼ四角形の枠体と、その一辺に回動自在に設定された係止ピンからなるものが一般に普及している。
【０００３】
従来のベルトはバックルの位置で急に角度が変わるため、いわば段違い状態となって外方へ張り出している。そして、長く使用していると、ベルトに対して長手方向に垂直な方向にバックルの痕跡を残すことになる。
【０００４】
この問題を解決するために、下記特許文献１ではバックルの枠体に立上部を形成し、ピンにも立上部を形成している。この発明によれば、ベルトがほぼまっすぐにバックルの開口を通過するので、ベルトにバックルの痕跡が付かない、と説明されている。
【特許文献１】特開平９−２８５３１３号公報
【発明の開示】
【発明が解決しようとする課題】
【０００５】
本発明は、特許文献１とは別のアプローチにより同様の課題を解決しようとするものである。したがって、本発明は、（１）バックルと係合しているベルト部分がバックルのために段違い状態となって外方へ張り出すことがない、（２）ベルトを長期間使用してもバックルの痕跡が付きにくい、という特性を備えたベルト用バックルを提供することを目的とする。
【０００６】
さらに本発明では、（３）係止ピンが止めやすく外しやすい、（４）使い方によっては危険な金属ピンの長さを短くすると共に、その位置を固定して動かなくする、という特許文献１にも見られない目的も有する。
【課題を解決するための手段】
【０００７】
本発明のベルト用バックルは、第１の観点では、バックル側ベルト端部に接続されたバックル本体と、このバックル本体に設けられた係止ピンからなり、前記バックル本体は、ベルト接続辺、先端辺及びこれらを繋ぐ２本の側部辺からなる四角形の枠体と、それによって形成されるベルト挿通用の穴を有し、前記先端辺は他の部分に対して上方に位置しており、前記係止ピンは、前記バックル本体から回動不能に起立していることを特徴とする。
【０００８】
第２の観点では、本発明のベルト用バックルは、ベルト端部近傍に設けられた係止ピンと、ベルト端部に接続されたベルト通し環と、前記係止ピンに隣接して設けられた第２のベルト通し環からなり、前記係止ピンは回動不能に起立していることを特徴とする。
【発明の効果】
【０００９】
本発明によれば、係止ピンは不動であると共に、起立しているので短くて済むので、先鋭なピンによる怪我の可能性を少なくすることができる。また、係止ピンは回動しないので、係止ピンをベルト穴に差し込むのは容易である。
【００１０】
また、第１の観点のバックル本体は、先端辺が他の部分よりも上方に位置しているため、バックルと係合しているベルト部分がバックルのために段違い状態となって外方へ張り出すことがない。その結果、ベルトを長期間使用してもバックルの痕跡が付きにくい。
【発明を実施するための最良の形態】
【００１１】
バックル本体は、少なくとも、ベルト側のベルト接続辺と、それに対向する先端辺、ベルト接続辺と先端辺をつなぐ２本の側部辺からなる四角形の枠体を有する。ベルト端部はベルト接続辺と接続される。前記係止ピンは側部辺同士を繋ぐ中央辺から起立させるのが好ましい。係止ピンの起立角度は、中央片に対して好ましくは１００〜１２０度で、１１０度が最も好ましい。係止ピンの最先端は、丸めておくことが安全上好ましい。
【００１２】
前記先端辺を他の部分に対して上方に位置させるには、ベルト接続辺につながる側部辺を屈曲させればよい。その屈曲角度は、中央片に対して好ましくは１４０−１５０度で、１４５度が最も好ましい。
【００１３】
逆に前記ベルト接続辺は他の部分に対して下方に位置させるのが好ましい。前記ベルト接続辺を他の部分に対して下方に位置させるには、先端辺につながる側部辺を屈曲させればよい。その屈曲角度は、中央片に対して好ましくは１４０〜１７０度で、１４５度が最も好ましい。
【実施例１】
【００１４】
以下、添付の図面に基づき、本発明の第１実施例を説明する。
【００１５】
図１は、本発明のバックルを犬の首輪１に使用した状態の斜視図である。図２はバックル部分１０の拡大斜視図である。図３は使用時のバックルの断面図である。
【００１６】
図２及び３から明らかなように、このバックル本体は、ベルト２側のベルト接続辺１１と、それに対向する先端辺１２、ベルト接続辺１１と先端辺１２をつなぐ２本の側部辺１３，１４の４辺を有する。さらに、２本の側部辺を繋ぐやや幅広の中央辺１５を有するので、平面視すれば漢字の「日」字型である。その結果、ベルト端部取付用の第１穴１６と、ベルト挿通用の第２穴１７が形成されている。図３から分かるように、バックル本体のうち、中央辺１５が平面的部分を形成し、ベルト接続辺１１及び先端辺１２が屈曲部分を形成しており、側面視すればＳ字状に湾曲している。ベルト接続辺１１の屈曲角度は中央片１５に対して下方約１４５度であり、先端辺１２の屈曲角度は上方約１４５度である。図示しない別の変形例では、ベルト接続辺１１の屈曲角度はもっと少なくてもよく、例えば上方約１６０−１７０度である。
【００１７】
本発明にとって特徴的なのは、中央辺１５から係止ピン２１が突出していることである。この例では、係止ピン２１は第２穴側１７の中央辺１５のほぼ中央で、第１穴（１６）の近傍から中央片１５に対して約１１０度の角度で起立している。図面では、係止ピンの最先端は角張っているが、安全の見地から丸めておく方が好ましい。
【００１８】
このバックルを使用するには、図３に示すように、バックルの第２穴１７にベルト２を通し、バックルの係止ピン２１をベルト２の複数穴のうち適当な位置の穴３に差し込めばよい。そのあと、ベルトがはみ出さないようにベルト通し環４を通過させる。
【実施例２】
【００１９】
図４は、本発明第２実施例のバックルの斜視図である。図５はその断面図である。
【００２０】
このバックル３０は、ベルト端部近傍５に設けられた係止ピン３６と、ベルト端部に接続された第１のベルト通し環３５と、係止ピン３６に隣接して設けられた第２のベルト通し環３８からなる。
【００２１】
係止ピン３６は、ピン基部３６ａと、このピン基部から約１１０度の角度で起立している突起３６ｂからなり、突起３６ｂは回動不能に起立している。ピン基部３６ａは、基板３７に載置され、基部穴３６ｃを利用して基板３７及びベルトに縫着固定される。その基板３７は係止ピン３６を支持固定するもので、厚手の布や革などからなる。
【００２２】
ベルト通し環３５は、四角形であって、ベルト側のベルト接続辺３１と、それに対向する先端辺３２、ベルト接続辺３１と先端辺３２をつなぐ２本の側部辺３３，３４の４辺を有する。
【００２３】
この実施例の使用法は、第１実施例と同じである。本実施例のベルト通し環３５が、第１実施例の第２穴１７に相当し、第１実施例の第１穴１６に相当するのが第２のベルト通し環３８である。図示の例では、ベルト通し環３５は金属製のリングであるが、ここは単にベルトを通すだけであるので、第１実施例におけるベルト通し環４のような簡単なものでもよい。
【図面の簡単な説明】
【００２４】
【図１】本発明のバックルを犬の首輪１に使用した状態の斜視図である。
【図２】バックル部分１０の拡大斜視図である。
【図３】使用時のバックルの断面図である。
【図４】本発明第２実施例のバックルの斜視図である。
【図５】第２実施例のバックルの使用時の断面図である。
【符号の説明】
【００２５】
２     ベルト
１０   バックル本体
１１   ベルト接続辺
１２   先端辺
１３，１４    側部辺
１５   中央辺
１６   第１穴
１７   第２穴
２１   係止ピン
３５   ベルト通し環
３６   係止ピン
３６ａ ピン基部
３６ｂ 突起
【図１】
2006102026.tif 000003
【図２】
2006102026.tif 000004
【図３】
2006102026.tif 000005
【図４】
2006102026.tif 000006
【図５】
2006102026.tif 000007